(57)【要約】【課題】３Ｇ−Ｆｅｍｔｏ網を有する通信システムにおいて、既存のシステム構成の変更を抑制しつつ、緊急呼を発信した無線通信装置にＧＰＳ測位を行わせる。【解決手段】本発明の通信システムは、ＧＰＳ信号に基づき測位を行う無線通信装置と、ＧＰＳ信号に基づく測位に用いられるアシストデータを管理するサーバと、ＩＭＳ網に設けられたフェムトセル用基地局とを備え、ＩＭＳ網には、フェムトセル用基地局が処理可能な第１のプロトコルのメッセージと、サーバが処理可能な第２のプロトコルのメッセージとを相互に変換可能であり、フェムトセル用基地局とサーバとの間でメッセージを転送する変換手段が設けられ、フェムトセル用基地局は、緊急呼を発信した無線通信装置の測位要求が入力されると、変換手段を介したサーバとの通信によりアシストデータを取得し、緊急呼を発信した無線通信装置にアシストデータを用いたＧＰＳ信号に基づく測位を行わせる。【選択図】図５Ｂ
2014143474.tif 000002
【特許請求の範囲】
【請求項１】
ＧＰＳ信号に基づき測位を行う無線通信装置と、前記ＧＰＳ信号に基づく測位に用いられるアシストデータを管理するサーバと、ＩＭＳ網に設けられ、通信エリア内の前記無線通信装置と通信を行うフェムトセル用基地局と、を備え、
前記ＩＭＳ網には、前記フェムトセル用基地局が処理可能な第１のプロトコルのメッセージと、前記サーバが処理可能な第２のプロトコルのメッセージとを相互に変換可能であり、前記フェムトセル用基地局および前記サーバの一方からメッセージを受信すると、該受信したメッセージを他方が処理可能なプロトコルのメッセージに変換して転送する変換手段が設けられ、
前記フェムトセル用基地局は、前記無線通信装置による緊急呼の発信に応じて、該緊急呼を発信した無線通信装置の測位要求が入力されると、前記変換手段を介した前記サーバとの通信により前記アシストデータを取得し、前記緊急呼を発信した無線通信装置に前記取得したアシストデータを用いた前記ＧＰＳ信号に基づく測位を行わせることを特徴とする通信システム。
【請求項２】
請求項１記載の通信システムにおいて、
前記第１のプロトコルは、ＳＩＰであり、
前記第２のプロトコルは、ＰＣＡＰであることを特徴とする通信システム。
【請求項３】
請求項２記載の通信システムにおいて、
前記フェムトセル用基地局は、前記ＳＩＰのメッセージに、前記ＰＣＡＰのメッセージを埋め込んで前記変換手段に送信することを特徴とする通信システム。
【請求項４】
ＧＰＳ信号に基づき測位を行う無線通信装置と通信可能な、ＩＭＳ網に設けられたフェムトセル用基地局であって、
前記フェムトセル用基地局が処理可能な第１のプロトコルのメッセージと、前記ＧＰＳ信号に基づく測位に用いられるアシストデータを管理するサーバが処理可能な第２のプロトコルのメッセージとを相互に変換可能であり、前記フェムトセル用基地局および前記サーバの一方からメッセージを受信すると、該受信したメッセージを、他方が処理可能なプロトコルのメッセージに変換して転送する、前記ＩＭＳ網の設けられたゲートウェイ装置と通信する通信部と、
前記無線通信装置による緊急呼の発信におうじて、該緊急呼を発信した無線通信装置の測位要求が入力されると、前記ゲートウェイ装置を介した前記サーバとの通信により前記アシストデータを取得し、前記緊急呼を発信した無線通信装置に前記取得したアシストデータを用いた前記ＧＰＳ信号に基づく測位を行わせる制御部と、を有することを特徴とするフェムトセル用基地局。
【請求項５】
請求項４記載のフェムトセル用基地局であって、
前記第１のプロトコルは、ＳＩＰであり、
前記第２のプロトコルは、ＰＣＡＰであることを特徴とするフェムトセル用基地局。
【請求項６】
ＩＭＳ網に設けられ、メッセージの転送を行うゲートウェイ装置であって、
ＧＰＳ信号に基づき測位を行う無線通信装置と通信可能な、前記ＩＭＳ網に設けられたフェムトセル用基地局と通信を行う第１の通信部と、
前記前記ＧＰＳ信号に基づく測位に用いられるアシストデータを管理するサーバと通信を行う第２の通信部と、
前記フェムトセル用基地局が処理可能な第１のプロトコルのメッセージと、前記サーバが処理可能な第２のプロトコルのメッセージとを相互に変換可能であり、前第１の通信部および前記第２の通信部の一方がメッセージを受信すると、該受信したメッセージを、他方の通信部の通信先が処理可能なプロトコルのメッセージに変換して他方の通信部に送信させる変換部と、を有することを特徴とするゲートウェイ装置。
【請求項７】
請求項６記載のゲートウェイ装置において、
前記第１のプロトコルは、ＳＩＰであり、
前記第２のプロトコルは、ＰＣＡＰであることを特徴とするゲートウェイ装置。
【請求項８】
ＧＰＳ信号に基づき測位を行う無線通信装置と通信可能な、ＩＭＳ網に設けられたフェムトセル用基地局の制御方法であって、
前記無線通信装置による緊急呼の発信に応じて、該緊急呼を発信した無線通信装置の測位要求が入力されると、前記フェムトセル用基地局が処理可能な第１のプロトコルのメッセージと、前記ＧＰＳ信号に基づく測位に用いられるアシストデータを管理するサーバが処理可能な第２のプロトコルのメッセージとを相互に変換可能であり、前記フェムトセル用基地局および前記サーバの一方からメッセージを受信すると、該受信したメッセージを、他方が処理可能なプロトコルのメッセージに変換して転送する、前記ＩＭＳ網の設けられたゲートウェイ装置を介した前記サーバとの通信により前記アシストデータを取得し、
前記緊急呼を発信した無線通信装置に前記取得したアシストデータを用いて前記ＧＰＳ信号に基づく測位を行わせることを特徴とするフェムトセル用基地局の制御方法。
【請求項９】
請求項８記載のフェムトセル用基地局の制御方法であって、
前記第１のプロトコルは、ＳＩＰであり、
前記第２のプロトコルは、ＰＣＡＰであることを特徴とするフェムトセル用基地局の制御方法。
【請求項１０】
ＧＰＳ信号に基づき測位を行う無線通信装置と通信可能な、前記ＩＭＳ網に設けられたフェムトセル用基地局、および、前記ＧＰＳ信号に基づく測位に用いられるアシストデータを管理するサーバと通信可能であり、前記ＩＭＳ網に設けられたゲートウェイ装置の制御方法であって、
前記フェムトセル用基地局および前記サーバの一方からメッセージを受信すると、該受信したメッセージを、他方が処理可能なプロトコルのメッセージに変換して転送することを特徴とするゲートウェイ装置の制御方法。
【請求項１１】
請求項１０記載のゲートウェイ装置の制御方法において、
前記第１のプロトコルは、ＳＩＰであり、
前記第２のプロトコルは、ＰＣＡＰであることを特徴とするゲートウェイ装置の制御方法。
【発明の詳細な説明】
【技術分野】
【０００１】
本発明は、通信システム、フェムトセル用基地局、ゲートウェイ装置、および、制御方法に関する。
【背景技術】
【０００２】
携帯電話やスマートフォンなどの無線通信装置の普及に伴って、無線通信装置を発信元とする、緊急機関への緊急呼の発信回数が増加している。緊急呼の発信元の位置特定は緊急機関による迅速かつ確実な対応のために重要であるため、無線通信装置が緊急呼を発信した際に、その無線通信装置の位置情報を緊急機関へ通知することが求められている。緊急呼を発信した無線通信装置の位置の特定には、緊急呼を発信した無線通信装置と通信する基地局の位置情報に基づいて、無線通信装置の位置を特定するセル測位（特許文献１（国際公開第２０１０／０７４０３４号パンフレット）参照）や、無線通信装置がＧＰＳ（Ｇｌｏｂａｌ  Ｐｏｓｉｔｉｏｎｉｎｇ  Ｓｙｓｔｅｍ）衛星からのＧＰＳ信号を受信し、受信したＧＰＳ信号に基づき位置を特定するＧＰＳ測位などが用いられる。一般に、セル測位の精度は、半径数百メートル程度であり、ＧＰＳ測位の精度は、半径数メートル程度である。そのため、無線通信装置にＧＰＳ機能を搭載し、より精度の高い位置情報を緊急機関へ通知することが求められている。
【０００３】
無線通信装置によるＧＰＳ測位においては、ＧＰＳ衛星の軌道情報や現在時刻情報などの、ＧＰＳ測位に必要なアシストデータを無線通信装置が通信ネットワークから取得し、そのアシストデータを用いてＧＰＳ信号に基づく測位を行う、ＡＧＰＳ（Ａｓｓｉｓｔｅｄ  ＧＰＳ）方式が用いられる。
【０００４】
ＡＧＰＳ方式では、無線通信装置による緊急呼の発信に応じて、アシストデータを管理するＡＧＰＳサーバが、ＧＰＳ測位を要求する旨を示すＳＭＳ（Ｓｈｏｒｔ  Ｍｅｓｓａｇｅ  Ｓｅｒｖｉｃｅ）メッセージを、緊急呼を発信した無線通信装置に送信する。無線通信装置は、そのＳＭＳメッセージを受信すると、自動的に通信ネットワークとのＰＳ（Ｐａｃｋｅｔ  Ｓｗｉｔｃｈｉｎｇ）接続を確立してアシストデータをＡＧＰＳサーバから取得し、ＧＰＳ測位を行う。以下では、ＳＭＳメッセージを用いたＡＧＰＳサーバからの要求に応じて行われるＧＰＳ測位を、ＳＭＳ−ＰＵＳＨ契機によるＧＰＳ測位と称する。
【０００５】
近年、ＧＰＳ機能を有するスマートフォンの中に、ＳＭＳ−ＰＵＳＨ契機によるＧＰＳ測位に対応していないものがあることが判明し、問題となっている。
【０００６】
上述した問題に対して、半径数百メートルから数キロメートル程度の通信エリア（マクロセル）を構築するマクロセル用基地局を備えた既存の３Ｇ−Ｍａｃｒｏ網においては、ＳＭＳ−ＰＵＳＨ契機によるＧＰＳ測位に対応していない無線通信装置にも緊急呼の発信時にＧＰＳ測位を行わせる技術が検討されている。この技術においては、ＳＭＳ−ＰＵＳＨ契機によるＧＰＳ測位に対応していない無線通信装置が緊急呼を発信すると、ＡＧＰＳサーバは、その無線通信装置の測位要求を、マクロセル用基地局を管理するＲＮＣ（Ｒａｄｉｏ  Ｎｅｔｗｏｒｋ  Ｃｏｎｔｒｏｌｌｅｒ）に送信する。ＲＮＣは、ＲＲＣ（Ｒａｄｉｏ  Ｒｅｓｏｕｒｃｅ  Ｃｏｎｔｒｏｌ）と称されるプロトコルに従い無線通信装置を制御可能であり、ＡＧＰＳサーバからの測位要求を受信すると、ＡＧＰＳサーバとの通信によりアシストデータを取得し、緊急呼を発信した無線通信装置に取得したアシストデータを用いたＧＰＳ信号に基づく測位を行わせる。
【先行技術文献】
【特許文献】
【０００７】
【特許文献１】国際公開第２０１０／０７４０３４号パンフレット
【特許文献２】国際公開第２０１０／０７４０３３号パンフレット
【発明の概要】
【発明が解決しようとする課題】
【０００８】
近年、３Ｇ−Ｍａｃｒｏ網だけでなく、半径数十メートル程度の通信エリア（フェムトセル）を構築するフェムトセル用基地局をＩＭＳ（ＩＰ  Ｍｕｌｔｉｍｅｄｉａ  Ｓｕｂｓｙｓｔｅｍ）網に導入した３Ｇ−Ｆｅｍｔｏ網をも含む通信システムの開発が進められている（特許文献２（国際公開第２０１０／０７４０３３号パンフレット）参照）。このような通信システムにおいては、既存のシステム構成はできるだけ変更せずに、３Ｇ−Ｆｅｍｔｏ網を構築することが求められる。
【０００９】
３Ｇ−Ｆｅｍｔｏ網においては、無線通信装置が緊急呼を発信した際に位置情報を通知させる技術について十分な検討が行われていない。ここで、上述した３Ｇ−Ｍａｃｒｏ網で検討されている技術を３Ｇ−Ｆｅｍｔｏ網に応用し、ＲＲＣに従い無線通信装置を制御可能なフェムトセル用基地局が、ＡＧＰＳサーバとの通信によりアシストデータを取得し、緊急呼を発信した無線通信装置に取得したアシストデータを用いてＧＰＳ測位を行わせることが考えられる。しかし、一般に、３Ｇ−Ｍａｃｒｏ網と３Ｇ−Ｆｅｍｔｏ網とでは用いられるプロトコルが異なるため、ＡＧＰＳサーバがフェムトセル用基地局と通信を行うには、３Ｇ−Ｆｅｍｔｏ網で用いられるプロトコルを処理する機能をＡＧＰＳサーバに追加するなどの、既存のシステム構成の変更が必要となってしまう。
【００１０】
本発明の目的は、３Ｇ−Ｆｅｍｔｏ網を有する通信システムにおいて、既存のシステム構成の変更を抑制しつつ、緊急呼を発信した無線通信装置にＧＰＳ測位を行わせることができる通信システム、フェムトセル用基地局、ゲートウェイ装置、および、制御方法を提供することにある。
【課題を解決するための手段】
【００１１】
上記目的を達成するために本発明の通信システムは、
ＧＰＳ信号に基づき測位を行う無線通信装置と、前記ＧＰＳ信号に基づく測位に用いられるアシストデータを管理するサーバと、ＩＭＳ網に設けられ、通信エリア内の前記無線通信装置と通信を行うフェムトセル用基地局と、を備え、
前記ＩＭＳ網には、前記フェムトセル用基地局が処理可能な第１のプロトコルのメッセージと、前記サーバが処理可能な第２のプロトコルのメッセージとを相互に変換可能であり、前記フェムトセル用基地局および前記サーバの一方からメッセージを受信すると、該受信したメッセージを他方が処理可能なプロトコルのメッセージに変換して転送する変換手段が設けられ、
前記フェムトセル用基地局は、前記無線通信装置による緊急呼の発信に応じて、該緊急呼を発信した無線通信装置の測位要求が入力されると、前記変換手段を介した前記サーバとの通信により前記アシストデータを取得し、前記緊急呼を発信した無線通信装置に前記取得したアシストデータを用いた前記ＧＰＳ信号に基づく測位を行わせる。
【００１２】
上記目的を達成するために本発明のフェムトセル用基地局は、
ＧＰＳ信号に基づき測位を行う無線通信装置と通信可能な、ＩＭＳ網に設けられたフェムトセル用基地局であって、
前記フェムトセル用基地局が処理可能な第１のプロトコルのメッセージと、前記ＧＰＳ信号に基づく測位に用いられるアシストデータを管理するサーバが処理可能な第２のプロトコルのメッセージとを相互に変換可能であり、前記フェムトセル用基地局および前記サーバの一方からメッセージを受信すると、該受信したメッセージを、他方が処理可能なプロトコルのメッセージに変換して転送する、前記ＩＭＳ網の設けられたゲートウェイ装置と通信する通信部と、
前記無線通信装置による緊急呼の発信に応じて、該緊急呼を発信した無線通信装置の測位要求が入力されると、前記ゲートウェイ装置を介した前記サーバとの通信により前記アシストデータを取得し、前記緊急呼を発信した無線通信装置に前記取得したアシストデータを用いた前記ＧＰＳ信号に基づく測位を行わせる制御部と、を有する。
【００１３】
上記目的を達成するために本発明のゲートウェイ装置は、
ＩＭＳ網に設けられ、メッセージの転送を行うゲートウェイ装置であって、
ＧＰＳ信号に基づき測位を行う無線通信装置と通信可能な、前記ＩＭＳ網に設けられたフェムトセル用基地局と通信を行う第１の通信部と、
前記前記ＧＰＳ信号に基づく測位に用いられるアシストデータを管理するサーバと通信を行う第２の通信部と、
前記フェムトセル用基地局が処理可能な第１のプロトコルのメッセージと、前記サーバが処理可能な第２のプロトコルのメッセージとを相互に変換可能であり、前第１の通信部および前記第２の通信部の一方がメッセージを受信すると、該受信したメッセージを、他方の通信部の通信先が処理可能なプロトコルのメッセージに変換して他方の通信部に送信させる変換部と、を有する。
【００１４】
上記目的を達成するために本発明のフェムトセル用基地局の制御方法は、
ＧＰＳ信号に基づき測位を行う無線通信装置と通信可能な、ＩＭＳ網に設けられたフェムトセル用基地局の制御方法であって、
前記無線通信装置による緊急呼の発信に応じて、該緊急呼を発信した無線通信装置の測位要求が入力されると、前記フェムトセル用基地局が処理可能な第１のプロトコルのメッセージと、前記ＧＰＳ信号に基づく測位に用いられるアシストデータを管理するサーバが処理可能な第２のプロトコルのメッセージとを相互に変換可能であり、前記フェムトセル用基地局および前記サーバの一方からメッセージを受信すると、該受信したメッセージを、他方が処理可能なプロトコルのメッセージに変換して転送する、前記ＩＭＳ網の設けられたゲートウェイ装置を介した前記サーバとの通信により前記アシストデータを取得し、
前記緊急呼を発信した無線通信装置に前記取得したアシストデータを用いて前記ＧＰＳ信号に基づく測位を行わせる。
【００１５】
上記目的を達成するために本発明のゲートウェイ装置の制御方法は、
ＧＰＳ信号に基づき測位を行う無線通信装置と通信可能な、前記ＩＭＳ網に設けられたフェムトセル用基地局、および、前記ＧＰＳ信号に基づく測位に用いられるアシストデータを管理するサーバと通信可能であり、前記ＩＭＳ網に設けられたゲートウェイ装置の制御方法であって、
前記フェムトセル用基地局および前記サーバの一方からメッセージを受信すると、該受信したメッセージを、他方が処理可能なプロトコルのメッセージに変換して転送する。
【発明の効果】
【００１６】
本発明によれば、３Ｇ−Ｆｅｍｔｏ網を有する通信システムにおいて、既存のシステム構成の変更を抑制しつつ、緊急呼を発信した無線通信装置にＧＰＳ測位を行わせることができる。
【図面の簡単な説明】
【００１７】
【図１】本発明の一実施形態の通信システムの要部構成を示す図である。
【図２】図１に示すＦＡＰの要部構成を示すブロック図である。
【図３】図１に示すＰＣＡＰＧＷの要部構成を示すブロック図である。
【図４】図１に示すＡＧＰＳの要部構成を示すブロック図である。
【図５Ａ】図１に示す通信システムの動作を示すシーケンス図である。
【図５Ｂ】図１に示す通信システムの動作を示すシーケンス図である。
【図６】ＳＩＰメッセージの概略構成を示す図である。
【図７】ＳＣＣＰ−ＤＴ１メッセージの概略構成を示す図である。
【図８】ＳＣＣＰ−ＤＴ１メッセージの概略構成を示す図である。
【図９】ＳＩＰメッセージの概略構成を示す図である。
【図１０】図１に示す通信システムの動作を示すシーケンス図である。
【発明を実施するための形態】
【００１８】
以下に、本発明を実施するための形態について図面を参照して説明する。
【００１９】
図１は、本発明の一実施形態の通信システム１００の要部構成を示す図である。
【００２０】
通信システム１００は、ＵＥ（Ｕｓｅｒ  Ｅｑｕｉｐｍｅｎｔ）１１０と、ＧＭＬＣ（Ｇａｔｅｗａｙ  Ｍｏｂｉｌｅ  Ｌｏｃａｔｉｏｎ  Ｃｅｎｔｒｅ）１２０と、ＡＧＰＳ１３０と、３Ｇ−Ｍａｃｒｏ網１４０と、３Ｇ−Ｆｅｍｔｏ網１５０と、を有する。
【００２１】
ＵＥ１１０は、３Ｇ−Ｍａｃｒｏ網１４０、および、３Ｇ−Ｆｅｍｔｏ網１５０に接続可能な無線通信装置である。また、ＵＥ１１０は、図１においては不図示のＧＰＳ衛星からＧＰＳ信号を受信し、受信したＧＰＳ信号に基づき測位（ＧＰＳ測位）を行うＧＰＳ機能を備える。
【００２２】
ＧＭＬＣ１２０は、緊急呼を発信したＵＥ１１０の位置情報を緊急機関２００に通知するサーバである。
【００２３】
ＡＧＰＳ１３０は、ＵＥ１１０がＧＰＳ測位を行うためのアシストデータを管理するサーバである。また、ＡＧＰＳ１３０は、緊急呼を発信したＵＥ１１０の測位要求がＧＭＬＣ１２０から入力されると、アシストデータを用いたＧＰＳ測位をそのＵＥ１１０に行わせる。
【００２４】
３Ｇ−Ｍａｃｒｏ網１４０は、既存の３Ｇ網である。３Ｇ−Ｍａｃｒｏ網１４０は、ＮＢ（Ｎｏｄｅ−Ｂ）１０１と、ＲＮＣ１４２と、ＭＳＣ（Ｍｏｂｉｌｅ  Ｓｗｉｔｃｈｉｎｇ  Ｃｅｎｔｅｒ）１４３と、ＨＬＲ（Ｈｏｍｅ  Ｌｏｃａｔｉｏｎ  Ｒｅｇｉｓｔｅｒ）１４４と、ＳＧＷ（Ｓｅｒｖｉｎｇ  Ｇａｔｅｗａｙ）１４５と、を有する。なお、図１においては、図の簡略化のため、各ノードを１つずつ記載しているが、通常、各ノードはそれぞれ複数設けられる。
【００２５】
ＮＢ１４１は、半径数百メートルから数キロメートル程度の通信エリア（マクロセル）を構築するマクロセル用基地局であり、通信エリア内のＵＥ１１０と通信を行う。
【００２６】
ＲＮＣ１４２は、複数のＮＢ１４１を制御し、発着信制御、終話制御、ハンドオーバ制御などを行う。また、ＲＮＣ１４２は、緊急呼を発信したＵＥ１１０がＳＭＳ−ＰＵＳＨ契機のＧＰＳ測位に対応していない（ＳＭＳ−ＰＵＳＨ契機のＧＰＳ測位が可能でない）場合には、ＡＧＰＳ１３０との通信によりアシストデータを取得し、取得したアシストデータを用いて緊急呼を発信したＵＥ１１０にアシストデータを用いたＧＰＳ測位を行わせる。この場合、ＲＮＣ１４２とＡＧＰＳ１３０との間では、ＰＣＡＰ（Ｐｏｓｉｔｉｏｎｉｎｇ  Ｃａｌｃｕｌａｔｉｏｎ  Ａｐｐｌｉｃａｔｉｏｎ  Ｐａｒｔ）と呼ばれるプロトコルに従い、通信が行われる。
【００２７】
ＭＳＣ１４３は、呼の接続制御、サービス制御などを行う交換局である。
【００２８】
ＨＬＲ１４４は、携帯電話番号やＵＥ１１０の端末識別情報などの加入者情報を管理する。
【００２９】
ＳＧＷ１４５は、ＵＥ１１０が接続する通信網に応じて、ＡＧＰＳ１３０から入力されたメッセージを３Ｇ−Ｍａｃｒｏ網１４０あるいは３Ｇ−Ｆｅｍｔｏ網１５０に出力する。
【００３０】
ＮＢ１４１、ＲＮＣ１４２、ＭＳＣ１４３、ＨＬＲ１４４、および、ＳＧＷ１４５はそれぞれ、３ＧＰＰに準拠した処理を行う装置であるため、これらの装置の具体的な構成および動作については記載を省略する。３Ｇ−Ｍａｃｒｏ網１４０に利用されている技術については、例えば、３ＧＰＰ  ＴＳ  ２３．０６０などに開示されている。
【００３１】
３Ｇ−Ｆｅｍｔｏ網１５０は、フェムトセル用基地局をＩＭＳ網に導入した通信網である。３Ｇ−Ｆｅｍｔｏ網１５０は、ＦＡＰ（Ｆｅｍｔｏ  Ａｃｃｅｓｓ  Ｐｏｉｎｔ）１５１と、ＰＤＧ（Ｐａｃｋｅｔ  Ｄａｔａ  Ｇａｔｅｗａｙ）１５２と、ＡＡＡ（Ａｕｔｈｅｎｔｉｃａｔｉｏｎ  Ａｕｔｈｏｒｉｚａｔｉｏｎ  Ａｃｃｏｕｎｔｉｎｇ）１５３と、Ｐ−ＣＳＣＦ（Ｐｒｏｘｙ−Ｃａｌｌ  Ｓｅｓｓｉｏｎ  Ｃｏｎｔｒｏｌ  Ｆｕｎｃｔｉｏｎ）１５４と、Ｓ−ＣＳＣＦ（Ｓｅｒｖｉｎｇ−ＣＳＣＦ）１５５と、ＨＳＳ（Ｈｏｍｅ  Ｓｕｂｓｃｒｉｂｅｒ  Ｓｅｒｖｅｒ）１５６と、ＩＰＳＭＧＷ（ＩＰ  Ｓｈｏｒｔ  Ｍｅｓｓａｇｅ  Ｇａｔｅｗａｙ）１５７と、ＭＧＣＦ／ＭＧＷ（Ｍｅｄｉａ  Ｇａｔｅｗａｙ  Ｃｏｎｔｒｏｌ  Ｆｕｎｃｔｉｏｎ／Ｍｅｄｉａ  Ｇａｔｅｗａｙ）１５８と、ＰＣＡＰＧＷ（Ｐｏｓｉｔｉｏｎｉｎｇ  Ｃａｌｃｕｌａｔｉｏｎ  Ａｐｐｌｉｃａｔｉｏｎ  Ｐａｒｔ  Ｇａｔｅｗａｙ）１５９と、を有する。なお、図１においては、図の簡略化のため、各ノードを１つだけ記載しているが、通常、各ノードはそれぞれ複数設けられる。
【００３２】
ＦＡＰ１５１は、マクロセルよりも狭い、半径数十メートル程度の通信エリア（フェムトセル）を構築するフェムトセル用基地局であり、通信エリア内のＵＥ１１０と通信を行う。
【００３３】
ＰＤＧ１５２は、ＦＡＰ１５１とコア側との間でメッセージを中継する。
【００３４】
ＡＡＡ１５３は、ＵＥ１１０の認証などを行う。
【００３５】
Ｐ−ＣＳＣＦ１５４およびＳ−ＣＳＣＦ１５５は、３Ｇ−Ｆｅｍｔｏ網１５０内で用いられるプロトコルである、ＳＩＰ（Ｓｅｓｓｉｏｎ  Ｉｎｉｔｉａｔｉｏｎ  Ｐｒｏｔｏｃｏｌ）を用いたセッション制御、管理、認証、および、ルーティングなどの処理を行う。Ｐ−ＣＳＣＦ１５４は、ＵＥ１１０との間で、セキュリティ制御などを行う。Ｓ−ＣＳＣＦ１５５は、ＵＥ１１０に提供するサービスの制御などを行う。
【００３６】
ＨＳＳ１５６は、ＵＥ１１０の加入者情報をＨＬＲ１４４から取得し、管理する。
【００３７】
ＩＰＳＭＧＷ１５７は、ＳＭＳメッセージの配信制御などを行う。
【００３８】
ＭＧＣＦ／ＭＧＷ１５８は、３Ｇ−Ｆｅｍｔｏ網１５０と既存の電話網とを接続する。
【００３９】
ＰＣＡＰＧＷ１５９は、変換手段の一例である。ＰＣＡＰＧＷ１５９は、Ｓ−ＣＳＣＦ１５５、Ｐ−ＣＳＣＦ１５４、および、ＰＤＧ１５２を介してＦＡＰ１５１と通信可能であるとともに、ＡＧＰＳ１３０と通信可能である。ＰＣＡＰＧＷ１５９は、ＦＡＰ１５１が処理可能な第１のプロトコルであるＳＩＰのメッセージ（ＳＩＰメッセージ）と、ＡＧＰＳ１３０が処理可能な第２のプロトコルであるＰＣＡＰのメッセージ（ＰＣＡＰメッセージ）と、を相互に変換可能であり、ＦＡＰ１５１およびＡＧＰＳ１３０のうち一方からメッセージを受信すると、そのメッセージを他方が処理可能なプロトコルのメッセージに変換して転送する。
【００４０】
次に、ＦＡＰ１５１、ＰＣＡＰＧＷ１５９、および、ＡＧＰＳ１３０の構成について説明する。なお、図１に示す他のノードについては、その構成は当業者にとってよく知られているため、説明を省略する。
【００４１】
まず、ＦＡＰ１５１の構成について説明する。
【００４２】
図２は、ＦＡＰ１５１の要部構成を示すブロック図である。
【００４３】
ＦＡＰ１５１は、通信部２０１と、制御部２０２と、を有する。
【００４４】
通信部２０１は、ＰＤＧ１５２、Ｐ−ＣＳＣＦ１５４、および、Ｓ−ＣＳＣＦ１５５を介して、ＰＣＡＰＧＷ１５９と通信する。上述したように、ＰＣＡＰＧＷ１５９は、ＦＡＰ１５１とＡＧＰＳ１３０との間でメッセージの転送処理を行うため、通信部２０１は、ＰＣＡＰＧＷ１５９を介してＡＧＰＳ１３０と通信することができる。
【００４５】
制御部２０２は、緊急呼を発信したＵＥ１１０のＧＰＳ測位要求が入力されると、通信部２０１にＰＣＡＰＧＷ１５９を介したＡＧＰＳ１３０との通信を行わせてアシストデータを取得し、緊急呼を発信したＵＥ１１０に取得したアシストデータを用いてＧＰＳ測位を行わせる。
【００４６】
次に、ＰＣＡＰＧＷ１５９の構成について説明する。
【００４７】
図３は、ＰＣＡＰＧＷ１５９の要部構成を示すブロック図である。
【００４８】
ＰＣＡＰＧＷ１５９は、ＳＩＰインタフェース部３０１と、ＰＣＡＰインタフェース部３０２と、変換部３０３と、を有する。ＳＩＰインタフェース部３０１は、第１の通信部の一例であり、ＰＣＡＰインタフェース部３０２は、第２の通信部の一例である。
【００４９】
ＳＩＰインタフェース部３０１は、Ｓ−ＣＳＣＦ１５５、Ｐ−ＣＳＣＦ１５４、および、ＰＤＧ１５２を介してＦＡＰ１５１と通信する。ＳＩＰインタフェース部３０１は、ＳＩＰメッセージをＦＡＰ１５１から受信すると、そのＳＩＰメッセージを変換部３０３に出力する。また、ＳＩＰインタフェース部３０１は、変換部３０３からＳＩＰメッセージが出力されると、そのＳＩＰメッセージをＦＡＰ１５１に送信する。
【００５０】
ＰＣＡＰインタフェース部３０２は、ＡＧＰＳ１３０と通信する。ＰＣＡＰインタフェース部３０２は、ＰＣＡＰメッセージをＡＧＰＳ１３０から受信すると、そのＰＣＡＰメッセージを変換部３０３に出力する。また、ＰＣＡＰインタフェース部３０２は、変換部３０３からＰＣＡＰメッセージが出力されると、そのＰＣＡＰメッセージをＡＧＰＳ１３０に送信する。
【００５１】
変換部３０３は、ＳＩＰインタフェース部３０１からＳＩＰメッセージが入力されると、そのＳＩＰメッセージをＰＣＡＰメッセージに変換してＰＣＡＰインタフェース部３０２に出力する。また、変換部３０３は、ＰＣＡＰインタフェース部３０２からＰＣＡＰメッセージが入力されると、そのＰＣＡＰメッセージをＳＩＰメッセージに変換してＳＩＰインタフェース部３０１に出力する。
【００５２】
次に、ＡＧＰＳ１３０の構成について説明する。
【００５３】
図４は、ＡＧＰＳ１３０の要部構成を示すブロック図である。
【００５４】
ＡＧＰＳ１３０は、通信部４０１と、制御部４０２と、を有する。
【００５５】
通信部４０１は、ＳＧＷ１４５やＰＣＡＰＧＷ１５９と通信する。上述したように、ＰＣＡＰＧＷ１５９は、ＦＡＰ１５１とＡＧＰＳ１３０との間でメッセージの転送処理を行うため、通信部４０１は、ＰＣＡＰＧＷ１５９を介してＦＡＰ１５１と通信することができる。
【００５６】
制御部４０２は、緊急呼を発信したＵＥ１１０の測位要求がＧＭＬＣ１２０から入力されると、アシストデータを用いたＧＰＳ測位をそのＵＥ１１０に行わせる。ここで、制御部４０２は、緊急呼を発信したＵＥ１１０がＳＭＳ−ＰＵＳＨ契機のＧＰＳ測位に対応しているか否かを判定する。ここで、制御部４０２は、通信網との通信確立時にＵＥ１１０から送信されるメッセージに含まれる、そのＵＥ１１０の種別を示す識別子に基づき、そのＵＥ１１０がＳＭＳ−ＰＵＳＨ契機のＧＰＳ測位に対応している否かを判定する。
【００５７】
緊急呼を発信したＵＥ１１０がＳＭＳ−ＰＵＳＨ契機のＧＰＳに対応している場合には、制御部４０２は、そのＵＥ１１０のＧＰＳ測位を要求する旨を示すＳＭＳメッセージを、緊急呼を発信したＵＥ１１０に送信する。
【００５８】
一方、緊急呼を発信したＵＥ１１０がＳＭＳ−ＰＵＳＨ契機のＧＰＳに対応していない場合には、制御部４０２は、通信部４０１に、ＧＰＳ測位要求（ＭＡＰ−ＰＳＬ（ＭＡＰ−Ｐｒｏｖｉｄｅ  Ｓｕｂｓｃｒｉｂｅｒ  Ｌｏｃａｔｉｏｎ（Ｈｉｇｈ  Ｐｒｉｏｒｉｔｙ））をＳＧＷ１４５へ送信させる。ここで、ＧＰＳ測位要求には、ＭＳＣ１４３あるいはＩＰＳＭＧＷ１５７を識別するためのＭＳＣ  Ｎｕｍｂｅｒが含まれている。ＳＧＷ１４５に送信されたＧＰＳ測位要求は、そのＧＰＳ測位要求に含まれるＭＳＣ  Ｎｕｍｂｅｒに応じて、ＭＳＣ１４３またはＩＰＳＭＧＷ１５７に転送される。そのため、制御部４０２（ＡＧＰＳ１３０）から見ると、は、緊急呼を発信したＵＥ１１０が３Ｇ−Ｍａｃｒｏ網１４０に接続しているか、３Ｇ−Ｆｅｍｔｏ網１５０に接続しているかに関わらず、ＧＰＳ測位要求をＳＧＷ１４５に送信すればよいことになる。
【００５９】
次に、本実施形態の通信システム１００の動作について説明する。なお、本発明は主に、ＵＥ１１０が３Ｇ−Ｆｅｍｔｏ網１５０に接続している状態で緊急呼を発信した場合に、そのＵＥ１１０に如何にしてＧＰＳ測位を行わせるかに関するものであるため、ＵＥ１１０が３Ｇ−Ｍａｃｒｏ網１４０に接続している状態で緊急呼を発信した場合の動作については説明を省略する。
【００６０】
図５Ａ，５Ｂは、３Ｇ−Ｆｅｍｔｏ網１５０へのＵＥ１１０の位置登録後、そのＵＥ１１０が緊急呼を発信した場合の動作を示すシーケンス図である。なお、図５Ｂは、図５Ａに続くシーケンス図である。
【００６１】
図５Ａを参照すると、ＵＥ１１０は、ＦＡＰ１５１が構築する通信エリア内に移動すると、位置登録を開始する。なお、３Ｇ−Ｍａｃｒｏ網１４０への位置登録は完了しているものとする。
【００６２】
ＵＥ１１０は、位置登録要求（Ｌｏｃａｔｉｏｎ  Ｕｐｄａｔｅ  Ｒｅｑｕｅｓｔ）をＦＡＰ１５１に送信する（ステップＡ１）。
【００６３】
ＦＡＰ１５１は、ＵＥ１１０から位置登録要求を受信すると、ＵＥ１１０の認証要求をＰＤＧ１５２に送信する。この認証要求は、ＰＤＧ１５２、ＡＡＡ１５３、ＨＳＳ１５６を介して、ＨＬＲ１４４に送信される（ステップＡ２）。
【００６４】
ＨＬＲ１４４は、ＵＥ１１０の認証要求を受信すると、そのＵＥ１１０に対応する認証情報を取得する。なお、認証情報の具体例としては、例えば、ＲＡＮＤ／ＡＵＴＨ／ＣＫ／ＩＫ／ＸＲＥＳがある。ＲＡＮＤ／ＡＵＴＨ／ＣＫ／ＩＫ／ＸＲＥＳはそれぞれ、３ＧＰＰに準拠した情報である。ＲＡＮＤは、Ｒａｎｄｏｍ  Ｃｈａｌｌｅｎｇｅである。ＡＵＴＨは、Ａｕｔｈｅｎｔｉｃａｔｉｏｎ  Ｔｏｋｅｎである。ＣＫは、Ｃｉｐｈｅｒ  Ｋｅｙである。ＩＫは、Ｉｎｔｅｇｒｉｔｙ  Ｋｅｙである。ＸＲＥＳは、Ｅｘｐｒｅｃｔｅｄ  ＲＥＳｐｏｎｓｅである。
【００６５】
ＨＬＲ１４４は、取得した認証情報を含む認証要求応答をＨＳＳ１５６に送信する。この認証要求応答は、ＨＳＳ１５６、ＡＡＡ１５３、ＰＤＧ１５２を介してＦＡＰ１５１に送信される（ステップＡ３）。
【００６６】
ＦＡＰ１５１は、認証要求に対する認証要求応答を受信すると、その認証要求応答に含まれる認証情報のうち、ＲＡＮＤ／ＡＵＴＨを含む認証結果をＵＥ１１０に送信する（ステップＡ４）。
【００６７】
ＵＥ１１０は、ＦＡＰ１５１から認証結果を受信すると、その認証結果に含まれるＲＡＮＤ／ＡＵＴＨに基づいて、３ＧＰＰに準拠した方法により認証演算を行い、演算結果を含む認証結果応答をＦＡＰ１５１に送信する（ステップＡ５）。
【００６８】
ＵＥ１１０による認証演算の結果は、ＦＡＰ１５１およびＰＤＧ１５２を介してＡＡＡ１５３に送信される。ＡＡＡ１５３は、認証演算の結果に基づいて、３ＧＰＰに準拠した方法によりＵＥ１１０の認証を行う。ＡＡＡ１５３は、ＵＥ１１０の認証に成功すると、その旨を示すメッセージを、ＰＤＧ１５２を介してＦＡＰ１５１に送信する。なお、図５Ａにおいては、ＡＡＡ１５３によるＵＥ１１０の認証に関して送受信されるメッセージについては、記載を省略している。
【００６９】
ＦＡＰ１５１は、ＡＡＡ１５３からＵＥ１１０の認証に成功した旨を示すメッセージを受信すると、ＵＥ１１０の位置登録要求をＰＤＧ１５２に送信する。この位置登録要求は、ＰＤＧ１５２、Ｐ−ＣＳＣＦ１５４、Ｓ−ＣＳＣＦ１５５、ＨＳＳ１５６を介して、ＨＬＲ１４４に送信される（ステップＡ６）。
【００７０】
ＨＬＲ１４４は、ＵＥ１１０の位置登録要求を受信すると、そのＵＥ１１０の加入者情報を含む位置登録応答をＨＳＳ１５６に送信する。この位置登録応答は、ＨＳＳ１５６、Ｓ−ＣＳＣＦ１５５、Ｐ−ＣＳＣＦ１５４、ＰＤＧ１５２を介してＦＡＰ１５１に送信される（ステップＡ７）。なお、ＨＳＳ１５６は、位置登録応答に含まれるＵＥ１１０の加入者情報を取得し、図１においては不図示のＶＬＲ（Ｖｉｓｉｔｏｒ  Ｌｏｃａｔｉｏｎ  Ｒｅｇｉｓｔｅｒ）に登録する。
【００７１】
ＦＡＰ１５１は、位置登録要求に対する位置登録応答を受信すると、位置登録応答をＵＥ１１０に送信する（ステップＡ８）。
【００７２】
上述したステップＡ１からステップＡ８の処理により、ＵＥ１１０の位置登録が完了する。
【００７３】
次に、緊急呼を発信する旨が入力されると、ＵＥ１１０は、緊急呼発信要求（Ｅｍｅｒｇｅｎｃｙ  Ｓｅｔｕｐ）をＦＡＰ１５１に送信する（ステップＡ９）。
【００７４】
ＦＡＰ１５１は、ＵＥ１１０から緊急呼発信要求を受信すると、通話要求（ＳＩＰ：ＩＮＶＩＴＥ）をＰＤＧ１５２に送信する。この通話要求は、ＰＤＧ１５２、Ｐ−ＣＳＣＦ１５４、Ｓ−ＣＳＣＦ１５５を介して、ＭＧＣＦ／ＭＧＷ１５８に送信される（ステップＡ１０）。
【００７５】
ＭＧＣＦ／ＭＧＷ１５８は、通話要求を受信すると、緊急機関への呼設定を行う（ステップＡ１１）。なお、通話要求には、発信先の電話番号が含まれており、ＭＧＣＦ／ＭＧＷ１５８は、通話要求に含まれる電話番号に基づいて発信先を判定することができる。緊急機関への呼設定を行うと、ＭＧＣＦ／ＭＧＷ１５８は、緊急呼発信応答をＳ−ＣＳＣＦ１５５に送信する。この緊急呼発信応答は、Ｓ−ＣＳＣＦ１５５、Ｐ−ＣＳＣＦ１５４、ＰＤＧ１５２を介して、ＦＡＰ１５１に送信される（ステップＡ１２）。
【００７６】
ＦＡＰ１５１は、緊急呼発信応答を受信すると、緊急呼発信応答をＵＥ１１０に送信する（ステップＡ１３）。
【００７７】
Ｓ−ＣＳＣＦ１５５は、ＭＧＣＦ／ＭＧＷ１５８から緊急呼発信応答を受信すると、セル測位により得られる、緊急呼を発信したＵＥ１１０の位置を大雑把に示す簡易位置情報を含む簡易位置情報通知（ＴＣＰ（ＧＥＯ））をＨＳＳ１５６に送信する（ステップＡ１４）。
【００７８】
ＨＳＳ１５６は、Ｓ−ＣＳＣＦ１５５から簡易位置情報通知を受信すると、簡易位置情報通知（ＭＡＰ−ＳＬＲ（Ｓｕｂｓｃｒｉｂｅｒ  Ｌｏｃａｔｉｏｎ  Ｒｅｐｏｒｔ））をＧＭＬＣ１２０に送信する（ステップＡ１５）。この簡易位置情報通知には、Ｓ−ＣＳＣＦ１５５から受信した簡易位置情報通知に含まれる簡易位置情報が含まれる。
【００７９】
ＧＭＬＣ１２０は、ＨＳＳ１５６から簡易位置情報通知を受信すると、その簡易位置情報通知に対する受信応答（ＭＡＰ−ＳＬＲａｃｋ）をＨＳＳ１５６に送信する（ステップＡ１６）。また、ＧＭＬＣ１２０は、簡易位置情報通知を緊急機関２００に送信する（ステップＡ１７）。この簡易位置情報通知には、ＨＳＳ１５６から受信した簡易位置情報通知に含まれる簡易位置情報が含まれる。
【００８０】
次に、ＧＭＬＣ１２０は、緊急呼を発信したＵＥ１１０のＧＰＳ測位要求をＡＧＰＳ１３０に送信する（ステップＡ１８）。このＧＰＳ測位要求には、ＨＳＳ１５６から受信した簡易位置情報通知に含まれる簡易位置情報が含まれる。この簡易位置情報に基づいて、ＡＧＰＳ１３０は、緊急呼を発信したＵＥ１１０によるＧＰＳ測位に必要なアシストデータ（緊急呼を発信したＵＥ１１０が受信可能なＧＰＳ信号を送信するＧＰＳ衛星の軌道情報など）を特定することができる。
【００８１】
ＡＧＰＳ１３０は、ＧＭＬＣ１２０から緊急呼を発信したＵＥ１１０のＧＰＳ測位要求を受信すると、そのＵＥ１１０がＳＭＳ−ＰＵＳＨ契機のＧＰＳ測位が可能であるか否かを判定する。上述したように、ＡＧＰＳ１３０は、通信網との通信確立時にＵＥ１１０から送信されてきたメッセージに含まれる、そのＵＥ１１０の種別を示す識別子に基づき、そのＵＥ１１０がＳＭＳ−ＰＵＳＨ契機のＧＰＳ測位が可能であるか否かを判定する。なお、ＡＧＰＳ１３０は、例えば、ＵＥの種別ごとに、そのＵＥがＳＭＳ−ＰＵＳＨ契機のＧＰＳ測位が可能であるか否かを示すデータベースを保持しており、そのデータベースを用いて、緊急呼を発信したＵＥ１１０がＳＭＳ−ＰＵＳＨ契機のＧＰＳ測位が可能であるか否かを判定することができる。また、そのデータベースをＡＧＰＳ１３０とは別のサーバで管理し、ＡＧＰＳ１３０が、そのサーバに問い合わせるようにしてもよい。
【００８２】
緊急呼を発信したＵＥ１１０がＳＭＳ−ＰＵＳＨ契機のＧＰＳ測位が可能である場合には、ＡＧＰＳ１３０は、ＧＰＳ測位を要求する旨を示すＳＭＳメッセージをＵＥ１１０に送信する。ＵＥ１１０は、ＳＭＳメッセージを受信すると、３Ｇ−Ｆｅｍｔｏ網１５０とのＰＳ接続を確立し、ＡＧＰＳ１３０からアシストデータを取得してＧＰＳ測位を行う。なお、ＳＭＳ−ＰＵＳＨ契機のＧＰＳ測位の詳細に関しては、本発明と直接関係しないため説明を省略する。以下では、緊急呼を発信したＵＥ１１０は、ＳＭＳ−ＰＵＳＨ契機のＧＰＳ測位が可能でないものとする。
【００８３】
緊急呼を発信したＵＥ１１０がＳＭＳ−ＰＵＳＨ契機のＧＰＳ測位が可能でない場合には、ＡＧＰＳ１３０は、そのＵＥ１１０と通信するＦＡＰ１５１に至るルーティング情報の送信要求（ＭＡＰ−ＳＲＩ  ｆｏｒ  ＳＭ（ＭＡＰ−ＳＥＮＤ  ＲＯＵＴＩＮＧ  ＩＮＦＯ  ＦＯＲ  ＳＭ）を、ＳＧＷ１４５を介してＨＬＲ１４４に送信する（ステップＡ１９）。
【００８４】
ＨＬＲ１４４は、ＡＧＰＳ１３０からルーティング情報の送信要求を受信すると、その送信要求に応じたルーティング情報を含む要求応答をＡＧＰＳ１３０に送信する（ステップＡ２０）。ここで、ＨＬＲ１４４は、緊急呼を発信したＵＥ１１０が接続する通信網に応じたＭＳＣ  Ｎｕｍｂｅｒをルーティング情報に含める。具体的には、ＨＬＲ１４４は、緊急呼を発信したＵＥ１１０が３Ｇ−Ｍａｃｒｏ網１４０に接続する場合には、そのＵＥ１１０の接続先に対応するＭＳＣ１４３を示すＭＳＣ  Ｎｕｍｂｅｒをルーティング情報に含める、また、ＨＬＲ１４４は、緊急呼を発信したＵＥ１１０が３Ｇ−Ｆｅｍｔｏ網１５０に接続する場合には、そのＵＥ１１０の接続先に対応するＩＰＭＳＧＷ１５７を示すＭＳＣ  Ｎｕｍｂｅｒをルーティング情報に含める。
【００８５】
ＡＧＰＳ１３０は、ＨＬＲ１４４から要求応答を受信すると、ＧＰＳ測位要求（ＭＡＰ−ＰＳＬ（Ｈｉｇｈ  Ｐｒｉｏｒｉｔｙ）をＳＧＷ１４５に送信する。ここで、ＡＧＰＳ１３０は、ＨＬＲ１４４から受信したルーティング情報に含まれるＭＳＣ  ＮｕｍｂｅｒをＧＰＳ測位要求に含めて送信する。ＳＧＷ１４５は、ＧＰＳ測位要求に含まれるＭＳＣ  ＮｕｍｂｅｒがＩＰＳＭＧＷ１５７を示すものであるため、ＡＧＰＳ１３０から送信されてきたＧＰＳ測位要求をＩＰＳＭＧＷ１５７に転送する（ステップＡ２１）。
【００８６】
ＩＰＳＭＧＷ１５７は、ＧＰＳ測位要求を受信すると、ＧＰＳ測位要求（ＳＩＰ：ＭＥＳＳＡＧＥ（Ｌｏｃａｔｉｏｎ  Ｒｅｐｏｒｔ  Ｒｅｑｕｅｓｔ）をＳ−ＣＳＣＦ１５５に送信する。このＧＰＳ測位要求は、Ｓ−ＣＳＣＦ１５５、Ｐ−ＣＳＣＦ１５４、ＰＤＧ１５２を介して、ＦＡＰ１５１に送信される（ステップＡ２２）。
【００８７】
図５Ｂを参照すると、ＦＡＰ１５１は、ＧＰＳ測位要求を受信すると、そのＧＰＳ測位要求に対する受諾応答（ＳＩＰ：２０２）をＰＤＧ１５２に送信する。この受諾応答は、ＰＤＧ１５２、Ｐ−ＣＳＣＦ１５４、Ｓ−ＣＳＣＦ１５５を介して、ＩＰＳＭＧＷ１５７に送信される（ステップＡ２３）。次に、ＦＡＰ１５１は、ページングを行い、緊急呼を発信したＵＥ１１０との通信を確立する。なお、ＦＡＰ１５１とＵＥ１１０とが通信中であれば、ページングによるＵＥ１１０との通信の確立は不要である。
【００８８】
次に、ＦＡＰ１５１は、アシストデータを用いたＧＰＳ測位の開始を要求する旨を示す測位開始要求をＳＩＰに従い生成する。
【００８９】
図６は、ＳＩＰメッセージの概略構成を示す図である。
【００９０】
図６に示すように、ＳＩＰメッセージは、Ｒｅｑｕｅｓｔ−Ｌｉｎｅ部と、Ｍｅｓｓａｇｅ−Ｈｅａｄｅｒ部と、Ｍｅｓｓａｇｅ−Ｂｏｄｙ部と、から構成される。
【００９１】
Ｒｅｑｕｅｓｔ−Ｌｉｎｅ部には、メッセージの種別などを示す情報が設定される。
【００９２】
Ｍｅｓｓａｇｅ−Ｈｅａｄｅｒ部には、メッセージの発信元や発信先などの情報が設定される。
【００９３】
Ｍｅｓｓａｇｅ−Ｂｏｄｙ部は、ＳＩＰメッセージの本文部である。
【００９４】
なお、各部に含まれるパラメータの具体的な内容については記載を省略する。
【００９５】
ＦＡＰ１５１は、ＳＩＰメッセージのＭｅｓｓａｇｅ−Ｂｏｄｙ部に、アシストデータを用いたＧＰＳ測位の開始を要求する旨をＰＣＡＰにより示す情報を設定する。具体的には、ＦＡＰ１５１は、図６に示すように、測位開始要求のＭｅｓｓａｇｅ−Ｂｏｄｙ部に、アシストデータを用いたＧＰＳ測位の開始を要求する旨をＰＣＡＰにより示す情報（００  ０９  ｘｘ  ｘｘ．．ｘｘ（ＰＣＡＰ−Ｐｏｓｉｔｉｏｎ−Ｉｎｉｔｉａｔｉｏｎ−Ｒｅｑ））を設定する。
【００９６】
図５Ｂを再び参照すると、ＦＡＰ１５１は、Ｍｅｓｓａｇｅ−Ｂｏｄｙ部に情報（００  ０９  ｘｘ  ｘｘ．．ｘｘ（ＰＣＡＰ−Ｐｏｓｉｔｉｏｎ−Ｉｎｉｔｉａｔｉｏｎ−Ｒｅｑ））を設定した測位開始要求（ＳＩＰ：ＭＥＳＳＡＧＥ（Ｂｏｄｙ＝ＰＣＡＰ：Ｐｏｓｉｔｉｏｎ−Ａｃｔｉｖａｔｉｏｎ  Ｒｅｑ））をＰＤＧ１５２に送信する。この測位開始要求は、ＰＤＧ１５２、Ｐ−ＣＳＣＦ１５４、Ｓ−ＣＳＣＦ１５５を介して、ＰＣＡＰＧＷ１５９に送信される（ステップＡ２４）。
【００９７】
ＰＣＡＰＧＷ１５９は、測位開始要求を受信すると、その測位開始要求に対する受諾応答（ＳＩＰ：２０２）をＳ−ＣＳＣＦ１５５に送信する。この受諾応答は、Ｓ−ＣＳＣＦ１５５、Ｐ−ＣＳＣＦ１５４、ＰＤＧ１５２を介して、ＦＡＰ１５１に送信される（ステップＡ２５）。
【００９８】
次に、ＰＣＡＰＧＷ１５９は、受信した測位開始要求（ＳＩＰ：ＭＥＳＳＡＧＥ（Ｂｏｄｙ＝ＰＣＡＰ：Ｐｏｓｉｔｉｏｎ−Ｉｎｉｔｉａｔｉｏｎ−Ｒｅｑ））をＰＣＡＰメッセージに変換する。具体的には、ＰＣＡＰＧＷ１５９は、図７に示すように、ＳＣＣＰ（Ｓｉｇｎａｌｉｎｇ  Ｃｏｎｎｅｎｃｔｉｏｎ  Ｃｏｎｔｒｏｌ  Ｐａｒｔ）と称される信号伝送方式の、データフォーマットがＤＴ１であるメッセージ（ＳＣＣＰ−ＤＴ１）のＤＡＴＡ部に、受信した測位開始要求のＭｅｓｓａｇｅ−Ｂｏｄｙ部に設定された、アシストデータを用いたＧＰＳ測位の開始を要求する旨をＰＣＡＰにより示す情報（００    ０９  ｘｘ    ｘｘ．．ｘｘ（ＰＣＡＰ−Ｐｏｓｉｔｉｏｎ−Ｉｎｉｔｉａｔｉｏｎ−Ｒｅｑ））を設定する。こうすることで、ＰＣＡＰＧＷ１５９は、ＳＩＰによる測位開始要求を、ＡＧＰＳ１３０が処理可能なプロトコルであるＰＣＡＰによる測位開始要求（ＰＣＡＰ：Ｐｏｓｉｔｉｏｎ−Ｉｎｉｔｉａｔｉｏｎ−Ｒｅｑ）に変換する。なお、ＳＣＣＰ−ＤＴ１に含まれる各項目の具体的な内容については、本発明と直接関係しないため、説明を省略する。
【００９９】
ＰＣＡＰＧＷ１５９は、生成した測位開始要求（ＰＣＡＰ：Ｐｏｓｉｔｉｏｎ−Ｉｎｉｔｉａｔｉｏｎ−Ｒｅｑ）をＡＧＰＳ１３０に送信する（ステップＡ２６）。
【０１００】
ＡＧＰＳ１３０は、ＰＣＡＰＧＷ１５９から測位開始要求を受信すると、緊急呼を発信したＵＥ１１０によるＧＰＳ測位に必要なアシストデータを含み、ＵＥ１１０によるＧＰＳ測位処理を要求する旨をＰＣＡＰにより示す測位処理要求（ＰＣＡＰ：Ｐｏｓｉｔｉｏｎ−Ａｃｔｉｖａｔｉｏｎ−Ｒｅｑ）を生成する。具体的には、ＡＧＰＳ１３０は、図８に示すように、ＳＣＣＰ−ＤＴ１メッセージのＤａｔａ部に、ＵＥ１１０によるＧＰＳ測位処理を要求する旨をＰＣＡＰにより示す情報（００  ０ａ  ｘｘ  ｘｘ．．ｘｘ（ＰＣＡＰ：Ｐｏｓｉｔｉｏｎ−Ａｃｔｉｖａｔｉｏｎ−Ｒｅｑ））を設定する。
【０１０１】
ＡＧＰＳ１３０は、生成した測位処理要求（ＰＣＡＰ：Ｐｏｓｉｔｉｏｎ−Ａｃｔｉｖａｔｉｏｎ−Ｒｅｑ）をＰＣＡＰＧＷ１５９に送信する（ステップＡ２７）。
【０１０２】
ＰＣＡＰＧＷ１５９は、ＡＧＰＳ１３０から測位処理要求（ＰＣＡＰ：Ｐｏｓｉｔｉｏｎ−Ａｃｔｉｖａｔｉｏｎ−Ｒｅｑ）を受信すると、その測位処理要求をＳＩＰに従ったメッセージに変換する。具体的には、ＰＣＡＰＧＷ１５９は、図７に示す、測位処理要求（ＰＣＡＰ：Ｐｏｓｉｔｉｏｎ−Ａｃｔｉｖａｔｉｏｎ−Ｒｅｑ）のＤａｔａ部に設定された情報（００  ０ａ  ｘｘ    ｘｘ．．ｘｘ（ＰＣＡＰ−Ａｃｔｉｖａｔｉｏｎ−Ｒｅｑ））を、図９に示すように、ＳＩＰメッセージのＭｅｓｓａｇｅ−Ｂｏｄｙ部に設定する。こうすることで、ＰＣＡＰＧＷ１５９は、ＰＣＡＰによる測位処理要求を、ＳＩＰによる測位処理要求（ＳＩＰ：ＭＥＳＳＡＧＥ（Ｂｏｄｙ＝ＰＣＡＰ：Ｐｏｓｉｔｉｏｎ−Ａｃｔｉｖａｔｉｏｎ−Ｒｅｑ））に変換する。
【０１０３】
図５Ｂを再び参照すると、ＰＣＡＰＧＷ１５９は、生成した測位処理要求（ＳＩＰ：ＭＥＳＳＡＧＥ（Ｂｏｄｙ＝ＰＣＡＰ：Ｐｏｓｉｔｉｏｎ−Ａｃｔｉｖａｔｉｏｎ−Ｒｅｑ））をＳ−ＣＳＣＦ１５５に送信する。この測位処理要求は、Ｓ−ＣＳＣＦ１５５、Ｐ−ＣＳＣＦ１５４、ＰＤＧ１５２を介して、ＦＡＰ１５１に送信される（ステップＡ２８）。
【０１０４】
ＦＡＰ１５１は、測位処理要求を受信すると、その測位処理要求に対する受諾応答（ＳＩＰ：２０２）をＰＤＧ１５２に送信する。この受諾応答は、ＰＤＧ１５２、Ｐ−ＣＳＣＦ１５４、Ｓ−ＣＳＣＦ１５５を介して、ＰＣＡＰＧＷ１５９に送信される（ステップＡ２９）。
【０１０５】
次に、ＦＡＰ１５１は、受信した測位処理要求に含まれるアシストデータを取得し、緊急呼を発信したＵＥ１１０に取得したアシストデータを用いたＧＰＳ測位を行わせ、位置情報をＵＥ１１０から取得する。位置情報をＵＥ１１０から取得すると、ＦＡＰ１５１は、測位処理要求に対する要求応答を生成する。ここで、ＦＡＰ１５１は、ＳＩＰメッセージのＭｅｓｓａｇｅ−Ｂｏｄｙ部に、測位処理要求に対する応答である旨をＰＣＡＰにより示す情報（２０  ０ａ  ｘｘ  ｘｘ  ｘｘ．．ｘｘ（ＰＣＡＰ−Ｐｏｓｉｔｉｏｎ−Ａｃｔｉｖａｔｉｏｎ−Ｒｅｓｐ））を設定した要求応答（ＳＩＰ：Ｍｅｓｓａｇｅ（Ｂｏｄｙ＝ＰＣＡＰ：Ｐｏｓｉｔｉｏｎ−Ａｃｔｉｖａｔｉｏｎ−Ｒｅｓｐ）を生成する。
【０１０６】
ＦＡＰ１５１は、生成した要求応答（ＳＩＰ：Ｍｅｓｓａｇｅ（Ｂｏｄｙ＝ＰＣＡＰ：Ｐｏｓｉｔｉｏｎ−Ａｃｔｉｖａｔｉｏｎ−Ｒｅｓｐ）をＰＤＧ１５２に送信する。この要求応答は、ＰＤＧ１５２、Ｐ−ＣＳＣＦ１５４、Ｓ−ＣＳＣＦ１５５を介して、ＰＣＡＰＧＷ１５９に送信される（ステップＡ３０）。
【０１０７】
ＰＣＡＰＧＷ１５９は、測位処理要求に対する要求応答を受信すると、要求応答に対する受諾応答（ＳＩＰ：２０２）をＳ−ＣＳＣＦ１５５に送信する。この受諾応答は、Ｓ−ＣＳＣＦ１５５、Ｐ−ＣＳＣＦ１５４、ＰＤＧ１５２を介して、ＦＡＰ１５１に送信される（ステップＡ３１）。
【０１０８】
また、ＰＣＡＰＧＷ１５９は、ＦＡＰ１５１から受信した要求応答（ＳＩＰ：Ｍｅｓｓａｇｅ（Ｂｏｄｙ＝ＰＣＡＰ：Ｐｏｓｉｔｉｏｎ−Ａｃｔｉｖａｔｉｏｎ−Ｒｅｓｐ）をＰＣＡＰメッセージに変換する。具体的には、ＰＣＡＰＧＷ１５９は、ＳＣＣＰ−ＤＴ１メッセージのＤａｔａ部に、受信した要求応答のＭｅｓｓａｇｅ−Ｂｏｄｙ部に設定された情報（２０  ０ａ  ｘｘ  ｘｘ  ｘｘ．．ｘｘ（ＰＣＡＰ−Ｐｏｓｉｔｉｏｎ−Ａｃｔｉｖａｔｉｏｎ−Ｒｅｓｐ））を設定する。こうすることで、ＰＣＡＰＧＷ１５９は、ＳＩＰによる測位処理要求に対する要求応答（ＳＩＰ：Ｍｅｓｓａｇｅ（Ｂｏｄｙ＝ＰＣＡＰ：Ｐｏｓｉｔｉｏｎ−Ａｃｔｉｖａｔｉｏｎ−Ｒｅｓｐ）を、ＰＣＡＰによる測位処理要求に対する要求応答（ＰＣＡＰ：Ｐｏｓｉｔｉｏｎ−Ａｃｔｉｖａｔｉｏｎ−Ｒｅｓｐ）に変換する。
【０１０９】
ＰＣＡＰＧＷ１５９は、生成した要求応答（ＰＣＡＰ：Ｐｏｓｉｔｉｏｎ−Ａｃｔｉｖａｔｉｏｎ−Ｒｅｓｐ）をＡＧＰＳ１３０に送信する（ステップＡ３２）。
【０１１０】
ＡＧＰＳ１３０は、測位処理要求に対する要求応答を受信すると、測位開始要求に対する要求応答を生成する。ここで、ＡＧＰＳ１３０は、ＳＣＣＰ−ＤＴ１メッセージのＤａｔａ部に、測位開始要求に対する応答である旨をＰＣＡＰにより示す情報（２０  ０９  ｘｘ  ｘｘ．．ｘｘ（ＰＣＡＰ：Ｐｏｓｉｔｉｏｎ−Ｉｎｉｔｉａｔｉｏｎ−Ｒｅｓｐ））を設定した要求応答（ＰＣＡＰ：Ｐｏｓｉｔｉｏｎ−Ｉｎｉｔｉａｔｉｏｎ−Ｒｅｓｐ）を生成する。
【０１１１】
次に、ＡＧＰＳ１３０は、生成した要求応答（ＰＣＡＰ：Ｐｏｓｉｔｉｏｎ−Ｉｎｉｔｉａｔｉｏｎ−Ｒｅｓｐ）をＰＣＡＰＧＷ１５９に送信する（ステップＡ３３）。
【０１１２】
ＰＣＡＰＧＷ１５９は、ＡＧＰＳ１３０から要求応答（ＰＣＡＰ：Ｐｏｓｉｔｉｏｎ−Ｉｎｉｔｉａｔｉｏｎ−Ｒｅｓｐ）を受信すると、その要求応答をＳＩＰメッセージに変換する。具体的には、ＰＣＡＰＧＷ１５９は、測位開始要求に対する要求応答のＤａｔａ部に設定された情報（２０  ０９  ｘｘ  ｘｘ．．ｘｘ（ＰＣＡＰ：Ｐｏｓｉｔｉｏｎ−Ｉｎｉｔｉａｔｉｏｎ−Ｒｅｓｐ））を、ＳＩＰメッセージのＭｅｓｓａｇｅ−Ｂｏｄｙ部に設定する。こうすることで、ＰＣＡＰＧＷ１５９は、ＰＣＡＰによる測位開始要求に対する要求応答（ＰＣＡＰ：Ｐｏｓｉｔｉｏｎ−Ｉｎｉｔｉａｔｉｏｎ−Ｒｅｓｐ）をＳＩＰによる測位開始要求に対する要求応答（ＳＩＰ：ＭＥＳＳＡＧＥ（Ｂｏｄｙ＝ＰＣＡＰ：Ｐｏｓｉｔｉｏｎ−Ｉｎｉｔｉａｔｉｏｎ−Ｒｅｓｐ））に変換する。
【０１１３】
ＰＣＡＰＧＷ１５９は、生成した要求応答（ＳＩＰ：ＭＥＳＳＡＧＥ（Ｂｏｄｙ＝ＰＣＡＰ：Ｐｏｓｉｔｉｏｎ−Ｉｎｉｔｉａｔｉｏｎ−Ｒｅｓｐ））をＳ−ＣＳＣＦ１５５に送信する。この要求応答は、Ｓ−ＣＳＣＦ１５５、Ｐ−ＣＳＣＦ１５４、ＰＤＧ１５２を介して、ＦＡＰ１５１に送信される（ステップＡ３４）。
【０１１４】
ＦＡＰ１５１は、測位開始要求に対する要求応答を受信すると、その要求応答に対する受諾応答をＰＤＧ１５２に送信する。この受諾応答は、ＰＤＧ１５２、Ｐ−ＣＳＣＦ１５４、Ｓ−ＣＳＣＦ１５５を介して、ＰＣＡＰＧＷ１５９に送信される（ステップＡ３５）。
【０１１５】
次に、ＦＡＰ１５１は、ＵＥ１１０から取得した位置情報を含むＧＰＳ測位応答（ＳＩＰ：ＭＥＳＳＡＧＥ（Ｌｏｃａｔｉｏｎ−Ｒｅｐｏｒｔ−Ａｎｓｗｅｒ）をＰＤＧ１５２に送信する。このＧＰＳ測位応答は、ＰＤＧ１５２、Ｐ−ＣＳＣＦ１５４、Ｓ−ＣＳＣＦ１５５を介して、ＩＰＳＭＧＷ１５７に送信される（ステップＡ３６）。
【０１１６】
ＩＰＳＭＧＷ１５７は、ＧＰＳ測位応答を受信すると、受諾応答（ＳＩＰ：２０２）をＳ−ＣＳＣＦ１５５に送信する。この受諾応答は、Ｓ−ＣＳＣＦ１５５、Ｐ−ＣＳＣＦ１５４、ＰＤＧ１５２を介して、ＦＡＰ１５１に送信される（ステップＡ３７）。
【０１１７】
また、ＩＰＳＭＧＷ１５７は、ＧＰＳ測位応答（ＭＡＰ−ＰＳＬａｃｋ（Ｌｏｃａｔｉｏｎ  Ｅｓｔｉｍａｔｅ））を、ＳＧＷ１４５を介して、ＡＧＰＳ１３０に送信する（ステップＡ３８）。このＧＰＳ測位応答には、Ｓ−ＣＳＣＦ１５５から受信したＧＰＳ測位応答に含まれる位置情報が含まれる。
【０１１８】
ＡＧＰＳ１３０は、ＩＰＳＭＧＷ１５７からＧＰＳ測位応答を受信すると、ＧＰＳ測位応答をＧＭＬＣ１２０に送信する（ステップＡ３９）。このＧＰＳ測位応答には、ＩＰＳＭＧＷ１５７から受信したＧＰＳ測位応答に含まれる位置情報が含まれる。
【０１１９】
ＧＭＬＣ１２０は、ＡＧＰＳ１３０からＧＰＳ測位応答を受信すると、そのＧＰＳ測位応答に含まれる位置情報を緊急機関２００に通知する（ステップＡ４０）。
【０１２０】
上述した、ステップＡ９からステップＡ４０の処理により、緊急呼を発信したＵＥ１１０の位置情報が緊急機関２００に通知される。
【０１２１】
なお、図５Ａおよび図５Ｂにおいては、３Ｇ−Ｆｅｍｔｏ網１５０へのＵＥ１１０の位置登録後、そのＵＥ１１０が緊急呼を発信した場合の動作について説明した。緊急呼を発信した際には、緊急呼の終話後に、ＧＭＬＣ１２０により強制的に緊急呼を発信したＵＥ１１０の位置情報の取得が行われる場合がある。この場合の動作について、図１０を参照して説明する。なお、図１０においては、ＵＥ１１０の位置登録は既に完了しており、ＵＥ１１０は緊急呼を発信しているものとする。
【０１２２】
緊急呼を終話する旨が入力されると、ＵＥ１１０は、呼の切断処理を要求する旨を示す呼切断要求（ＣＣ：Ｄｉｓｃｏｎｎｅｃｔ）をＦＡＰ１５１に送信する（ステップＢ１）。
【０１２３】
ＦＡＰ１５１は、ＵＥ１１０から呼切断要求を受信すると、呼切断要求（ＳＩＰ：ＢＹＥ）をＰＤＧ１５２に送信する。この呼切断要求は、ＰＤＧ１５２、Ｐ−ＣＳＣＦ１５４、Ｓ−ＣＳＣＦ１５５を介して、ＭＧＣＦ／ＭＧＷ１５８に送信される（ステップＢ２）。
【０１２４】
ＭＧＣＦ／ＭＧＷ１５８は、呼切断要求を受信すると、緊急機関側との呼接続を開放する（ステップＢ３）。また、ＭＧＣＦ／ＭＧＷ１５８は、呼切断要求に対する呼切断応答をＳ−ＣＳＣＦ１５５に送信する。この呼切断応答は、Ｓ−ＣＳＣＦ１５５、Ｐ−ＣＳＣＦ１５４、ＰＤＧ１５２を介して、ＦＡＰ１５１に送信される（ステップＢ４）。
【０１２５】
ＦＡＰ１５１は、呼切断応答を受信すると、ＵＥ１１０から受信した呼切断要求に対する呼切断応答をＵＥ１１０に送信する（ステップＢ５）。
【０１２６】
呼接続が解放されると、緊急機関２００から、緊急呼を発信したＵＥ１１０の位置情報通知要求が、ＧＭＬＣ１２０に送信される（ステップＢ６）。
【０１２７】
ＧＭＬＣ１２０は、緊急機関２００からＵＥ１１０の位置情報通知要求を受信すると、そのＵＥ１１０の簡易位置情報の送信を要求する旨を示す簡易位置情報通知要求（ＭＡＬ−ＰＳＬ（Ｎｏ  Ｐｒｉｏｉｔｙ））をＨＳＳ１５６に送信する（ステップＢ７）。
【０１２８】
ＨＳＳ１５６は、ＧＭＬＣ１２０からＵＥ１１０の簡易位置情報通知要求を受信すると、そのＵＥ１１０の簡易位置情報を含む簡易位置情報通知（ＭＡＰ−ＰＳＬａｃｋ）をＧＭＬＣ１２０に送信する（ステップＢ８）。
【０１２９】
ＧＭＬＣ１２０は、緊急呼を発信したＵＥ１１０のＧＰＳ測位を要求する旨を示すＧＰＳ測位要求をＡＧＰＳ１３０に送信する（ステップＡ１８）。このＧＰＳ測位要求には、ＨＳＳ１５６から受信した簡易位置情報通知に含まれる簡易位置情報が含まれる。
【０１３０】
以下、図５Ａおよび図５Ｂに示すステップＡ１８以降の処理が行われ、緊急呼を発信したＵＥ１１０の位置情報が緊急機関２００に通知される。
【０１３１】
このように本実施形態の通信システム１００は、ＦＡＰ１５１が処理可能な第１のプロトコルのメッセージ（ＳＩＰメッセージ）と、ＡＧＰＳ１３０が処理可能な第２のプロトコルのメッセージ（ＰＣＡＰメッセージ）と、を相互に変換可能であり、ＦＡＰ１５１およびＡＧＰＳ１３０の一方からメッセージを受信すると、そのメッセージを他方が処理可能なプロトコルのメッセージに変換して他方へ転送する変換手段（ＰＣＡＰＧＷ１５９）を有する。３Ｇ−Ｆｅｍｔｏ網１５０に接続するＵＥ１１０が緊急呼を発信すると、ＡＧＰＳ１３０は、そのＵＥ１１０のＧＰＳ測位要求をＦＡＰ１５１に入力し、ＦＡＰ１５１は、ＰＣＡＰＧＷ１５９を介したＡＧＰＳ１３０との通信によりアシストデータを取得し、緊急呼を発信したＵＥ１１０に取得したアシストデータを用いてＧＰＳ測位を行わせる。
【０１３２】
そのため、３Ｇ−Ｆｅｍｔｏ網１５０においても、緊急呼を発信したＵＥ１１０にＧＰＳ測位を行わせることができる。また、ＳＩＰメッセージとＰＣＡＰメッセージとを相互に変換可能なＰＣＡＰＧＷ１５９を設けることで、ＳＩＰを処理する機能をＡＧＰＳ１３０に持たせたり、ＰＣＡＰを処理する機能を３Ｇ−Ｆｅｍｔｏ網１５０内の各構成に持たせたりする必要が無いので、既存のシステム構成の変更を抑制することができる。また、ＰＣＡＰＧＷ１５９を設けることで、ＡＧＰＳ１３０から見ると、３Ｇ−Ｆｅｍｔｏ網１５０を仮想的に１つのＲＮＣとみなすことができる（仮想ＲＮＣ化することができる）。通常、非常に多くのＦＡＰ１５１が設けられる。ＡＧＰＳ１３０が、これらのＦＡＰ１５１それぞれと直接、メッセージの送受信を行うと、ＡＧＰＳ１３０の処理負荷が高くなる。ＰＣＡＰＧＷ１５９を設け、３Ｇ−Ｆｅｍｔｏ網１５０を仮想ＲＮＣ化することで、ＡＧＰＳ１３０が多くのＦＡＰ１５１と直接メッセージの送受信を行う場合と比べて、ＡＧＰＳ１３０の処理負荷を低減することができる。
【０１３３】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１３４】
また、本実施形態における通信システムは、３ＧＰＰのＶｅｒｓｉｏｎには依存せずに処理を行うことが可能である。
【０１３５】
また、上述した本実施形態における通信システムを構成する各装置における制御動作は、ハードウェア、または、ソフトウェア、あるいは、両者の複合構成を用いて実行することも可能である。
【０１３６】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【０１３７】
例えば、プログラムは、記録媒体としてのハードディスクやＲＯＭ（Ｒｅａｄ  Ｏｎｌｙ  Ｍｅｍｏｒｙ）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。リムーバブル記録媒体としては、フロッピー（登録商標）ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＭＯ（Ｍａｇｎｅｔｏ  Ｏｐｔｉｃａｌ）ディスク、ＤＶＤ（Ｄｉｇｉｔａｌ  Ｖｅｒｓａｔｉｌｅ  Ｄｉｓｃ）、磁気ディスク、半導体メモリなどが挙げられる。
【０１３８】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【０１３９】
また、本実施形態における通信システムは、上記実施形態で説明した処理動作に従って時系列的に処理を実行するのみならず、処理を実行する装置の処理能力、あるいは、必要に応じて並列的にあるいは個別に処理を実行するように構築することも可能である。
【０１４０】
また、本実施形態における通信システムは、複数の装置の論理的集合構成にしたり、各構成の装置が同一筐体内に存在する構成にしたりするように構築することも可能である。
【０１４１】
上記の実施形態の一部または全部は、以下の付記のようにも記載されうるが、以下には限られない。
【０１４２】
（付記１）
ＧＰＳ信号に基づき測位を行う無線通信装置と、前記ＧＰＳ信号に基づく測位に用いられるアシストデータを管理するサーバと、ＩＭＳ網に設けられ、通信エリア内の前記無線通信装置と通信を行うフェムトセル用基地局と、を備え、
前記ＩＭＳ網には、前記フェムトセル用基地局が処理可能な第１のプロトコルのメッセージと、前記サーバが処理可能な第２のプロトコルのメッセージとを相互に変換可能であり、前記フェムトセル用基地局および前記サーバの一方からメッセージを受信すると、該受信したメッセージを他方が処理可能なプロトコルのメッセージに変換して転送する変換手段が設けられ、
前記フェムトセル用基地局は、前記無線通信装置による緊急呼の発信に応じて、該緊急呼を発信した無線通信装置の測位要求が入力されると、前記変換手段を介した前記サーバとの通信により前記アシストデータを取得し、前記緊急呼を発信した無線通信装置に前記取得したアシストデータを用いた前記ＧＰＳ信号に基づく測位を行わせることを特徴とする通信システム。
【０１４３】
（付記２）
付記１記載の通信システムにおいて、
前記第１のプロトコルは、ＳＩＰであり、
前記第２のプロトコルは、ＰＣＡＰであることを特徴とする通信システム。
【０１４４】
（付記３）
付記２記載の通信システムにおいて、
前記フェムトセル用基地局は、前記ＳＩＰのメッセージに、前記ＰＣＡＰのメッセージを埋め込んで前記変換手段に送信することを特徴とする通信システム。
【０１４５】
（付記４）
ＧＰＳ信号に基づき測位を行う無線通信装置と通信可能な、ＩＭＳ網に設けられたフェムトセル用基地局であって、
前記フェムトセル用基地局が処理可能な第１のプロトコルのメッセージと、前記ＧＰＳ信号に基づく測位に用いられるアシストデータを管理するサーバが処理可能な第２のプロトコルのメッセージとを相互に変換可能であり、前記フェムトセル用基地局および前記サーバの一方からメッセージを受信すると、該受信したメッセージを、他方が処理可能なプロトコルのメッセージに変換して転送する、前記ＩＭＳ網の設けられたゲートウェイ装置と通信する通信部と、
前記無線通信装置による緊急呼の発信におうじて、該緊急呼を発信した無線通信装置の測位要求が入力されると、前記ゲートウェイ装置を介した前記サーバとの通信により前記アシストデータを取得し、前記緊急呼を発信した無線通信装置に前記取得したアシストデータを用いた前記ＧＰＳ信号に基づく測位を行わせる制御部と、を有することを特徴とするフェムトセル用基地局。
【０１４６】
（付記５）
付記４記載のフェムトセル用基地局であって、
前記第１のプロトコルは、ＳＩＰであり、
前記第２のプロトコルは、ＰＣＡＰであることを特徴とするフェムトセル用基地局。
【０１４７】
（付記６）
ＩＭＳ網に設けられ、メッセージの転送を行うゲートウェイ装置であって、
ＧＰＳ信号に基づき測位を行う無線通信装置と通信可能な、前記ＩＭＳ網に設けられたフェムトセル用基地局と通信を行う第１の通信部と、
前記前記ＧＰＳ信号に基づく測位に用いられるアシストデータを管理するサーバと通信を行う第２の通信部と、
前記フェムトセル用基地局が処理可能な第１のプロトコルのメッセージと、前記サーバが処理可能な第２のプロトコルのメッセージとを相互に変換可能であり、前第１の通信部および前記第２の通信部の一方がメッセージを受信すると、該受信したメッセージを、他方の通信部の通信先が処理可能なプロトコルのメッセージに変換して他方の通信部に送信させる変換部と、を有することを特徴とするゲートウェイ装置。
【０１４８】
（付記７）
付記６記載のゲートウェイ装置において、
前記第１のプロトコルは、ＳＩＰであり、
前記第２のプロトコルは、ＰＣＡＰであることを特徴とするゲートウェイ装置。
【０１４９】
（付記８）
ＧＰＳ信号に基づき測位を行う無線通信装置と通信可能な、ＩＭＳ網に設けられたフェムトセル用基地局の制御方法であって、
前記無線通信装置による緊急呼の発信に応じて、該緊急呼を発信した無線通信装置の測位要求が入力されると、前記フェムトセル用基地局が処理可能な第１のプロトコルのメッセージと、前記ＧＰＳ信号に基づく測位に用いられるアシストデータを管理するサーバが処理可能な第２のプロトコルのメッセージとを相互に変換可能であり、前記フェムトセル用基地局および前記サーバの一方からメッセージを受信すると、該受信したメッセージを、他方が処理可能なプロトコルのメッセージに変換して転送する、前記ＩＭＳ網の設けられたゲートウェイ装置を介した前記サーバとの通信により前記アシストデータを取得し、
前記緊急呼を発信した無線通信装置に前記取得したアシストデータを用いて前記ＧＰＳ信号に基づく測位を行わせることを特徴とするフェムトセル用基地局の制御方法。
【０１５０】
（付記９）
付記８記載のフェムトセル用基地局の制御方法であって、
前記第１のプロトコルは、ＳＩＰであり、
前記第２のプロトコルは、ＰＣＡＰであることを特徴とするフェムトセル用基地局の制御方法。
【０１５１】
（付記１０）
ＧＰＳ信号に基づき測位を行う無線通信装置と通信可能な、前記ＩＭＳ網に設けられたフェムトセル用基地局、および、前記ＧＰＳ信号に基づく測位に用いられるアシストデータを管理するサーバと通信可能であり、前記ＩＭＳ網に設けられたゲートウェイ装置の制御方法であって、
前記フェムトセル用基地局および前記サーバの一方からメッセージを受信すると、該受信したメッセージを、他方が処理可能なプロトコルのメッセージに変換して転送することを特徴とするゲートウェイ装置の制御方法。
【０１５２】
（付記１１）
付記１０記載のゲートウェイ装置の制御方法において、
前記第１のプロトコルは、ＳＩＰであり、
前記第２のプロトコルは、ＰＣＡＰであることを特徴とするゲートウェイ装置の制御方法。
【符号の説明】
【０１５３】
１００    通信システム
１１０    ＵＥ
１２０    ＧＭＬＣ
１３０    ＡＧＰＳ
１４０    ３Ｇ−Ｍａｃｒｏ網
１５０    ３Ｇ−Ｆｅｍｔｏ網
２００    緊急機関
１４１    ＮＢ
１４２    ＲＮＣ
１４３    ＭＳＣ
１４４    ＨＬＲ
１４５    ＳＧＷ
１５１    ＦＡＰ
１５２    ＰＤＧ
１５３    ＡＡＡ
１５４    Ｐ−ＣＳＣＦ
１５５    Ｓ−ＣＳＣＦ
１５６    ＨＳＳ
１５７    ＩＰＳＭＧＷ
１５８    ＭＧＣＦ／ＭＧＷ
１５９    ＰＣＡＰＧＷ
２０１    通信部
２０２    制御部
３０１    ＳＩＰインタフェース部
３０２    ＰＣＡＰインタフェース部
３０３    変換部
４０１    通信部
４０２    制御部
【図１】
2014143474.tif 000003
【図２】
2014143474.tif 000004
【図３】
2014143474.tif 000005
【図４】
2014143474.tif 000006
【図５Ａ】
2014143474.tif 000007
【図５Ｂ】
2014143474.tif 000008
【図６】
2014143474.tif 000009
【図７】
2014143474.tif 000010
【図８】
2014143474.tif 000011
【図９】
2014143474.tif 000012
【図１０】
2014143474.tif 000013